(57)【特許請求の範囲】
【請求項１】
ベッドフレームに設けられた床板体を複数の床部に分割し、その床部の少なくとも１つを、上記ベッドフレームに設けられた駆動機構によって起伏駆動する起床式ベッド装置において、
上記床板体の床部を起伏駆動するための駆動軸と、
この駆動軸に一端が固着され他端部に係合部が形成された取付け部材と、
この取付け部材の他端部に一端部が第１の枢軸によって回動可能に連結された動力伝達部材と、
この動力伝達部材の中途部に第２の枢軸によって枢着された作動部材と、
この作動部材と上記取付け部材との間に設けられこの作動部材を弾性的に付勢して一端部を上記取付け部材の係合部に係合させ上記動力伝達部材が所定方向に回動するのを阻止して上記駆動機構の駆動力を上記取付け部材を介して上記駆動軸に伝達可能とするばねと、
上記作動部材の他端部に設けられその操作によって上記作動部材を上記ばねの付勢力に抗して回動させこの作動部材の一端部を上記係合部から外して上記動力伝達部材を上記取付け部材に対して回動可能にする操作部材とを具備し、
上記駆動機構は、駆動源と、この駆動源によって回転駆動されるねじ軸と、このねじ軸の回転によって進退駆動される可動体とを具備し、
上記動力伝達部材は、上記ばねの付勢力で取付け部材に対して回動が阻止された状態で他端部が上記可動体に押圧されることで、上記駆動軸を上記取付け部材を介して回動させる構造であることを特徴とする起床式ベッド装置。
【請求項２】
上記操作部材はワイヤであって、その一端が上記作動部材に連結され、他端には上記駆動軸に弾性的に着脱可能な弾性係合部が形成されたハンドルが連結されていることを特徴とする請求項１記載の起床式ベッド装置。
【発明の詳細な説明】
【０００１】
【発明の属する技術分野】
この発明は床板体の一部を起伏駆動して利用者の上半身を起こすことができるようにした起床式ベッド装置に関する。
【０００２】
【従来の技術】
病人や老人などのように自力で起き上がることができない利用者には、床板の一部を起伏駆動することができるようにした、いわゆる起床式ベッド装置が利用されている。起床式ベッド装置は、ベッドフレームを有し、このベッドフレームには床板体が設けられている。床板体は複数の床部に分割されていて、そのうちの少なくとも利用者の上半身に対応する部分の背床部は上記ベッドフレームに回動可能に設けられた駆動軸に一端が連結されている。
【０００３】
上記背床部は駆動機構によって起伏駆動される。上記駆動機構は駆動源によって進退駆動される可動体を有し、この可動体によって駆動軸を回動駆動する。この駆動軸にはアームの一端が連結されている。このアームは上記背床部の下面に位置している。したがって、駆動軸が所定の回転方向に駆動されれば、この駆動軸とともにアームが回動するから、このアームによって上記背床部を起上させることができるようになっている。
【０００４】
【発明が解決しようとする課題】
ところで、背床部を起上させた状態において、駆動機構の故障や停電などによって駆動機構が作動不能になることがあり、そのような場合には利用者が背上げ状態のままの姿勢を維持しなければならないことになる。
【０００５】
しかしながら、病人や老人などの場合、背上げ状態の姿勢、つまり上半身を起こした姿勢を長時間にわたって維持し続けることが体力や病状などのよっては困難なことがあり、そのような場合には背上げ状態を迅速に解除することが要求されることがある。
【０００６】
この発明は、背上げ状態で駆動機構を作動させることができなくなった場合に、背上げされた床部を手動で倒伏させることができる起床式ベッド装置装置を提供することにある。
【０００７】
【課題を解決するための手段】
請求項１の発明は、ベッドフレームに設けられた床板体を複数の床部に分割し、その床部の少なくとも１つを、上記ベッドフレームに設けられた駆動機構によって起伏駆動する起床式ベッド装置において、
上記床板体の床部を起伏駆動するための駆動軸と、
この駆動軸に一端が固着され他端部に係合部が形成された取付け部材と、
この取付け部材の他端部に一端部が第１の枢軸によって回動可能に連結された動力伝達部材と、
この動力伝達部材の中途部に第２の枢軸によって枢着された作動部材と、
この作動部材と上記取付け部材との間に設けられこの作動部材を弾性的に付勢して一端部を上記取付け部材の係合部に係合させ上記動力伝達部材が所定方向に回動するのを阻止して上記駆動機構の駆動力を上記取付け部材を介して上記駆動軸に伝達可能とするばねと、
上記作動部材の他端部に設けられその操作によって上記作動部材を上記ばねの付勢力に抗して回動させこの作動部材の一端部を上記係合部から外して上記動力伝達部材を上記取付け部材に対して回動可能にする操作部材とを具備し、
上記駆動機構は、駆動源と、この駆動源によって回転駆動されるねじ軸と、このねじ軸の回転によって進退駆動される可動体とを具備し、
上記動力伝達部材は、上記ばねの付勢力で取付け部材に対して回動が阻止された状態で他端部が上記可動体に押圧されることで、上記駆動軸を上記取付け部材を介して回動させる構造であることを特徴とする起床式ベッド装置にある。
【０００８】
請求項２の発明は、上記操作部材はワイヤであって、その一端が上記作動部材に連結され、他端には上記駆動軸に弾性的に着脱可能な弾性係合部が形成されたハンドルが連結されていることを特徴とする請求項１記載の起床式ベッド装置にある。
【００１０】
この発明によれば、駆動軸と駆動機構との間に設けられた作動部材を操作部材によって操作することで、駆動機構に係りなく駆動軸を回転さることができるから、起上状態にある床部を倒伏させることが可能となる。
【００１１】
【発明の実施の形態】
以下、図面を参照しながらこの発明の一実施の形態を説明する。
【００１２】
図３に示す起床式ベッド装置はベースフレーム１を備えている。このベースフレーム１は矩形枠状に形成されていて、その四隅部にはキャスタ２が設けられている。ベースフレーム１には、ベッドフレーム３がリンク４によって上下動可能に設けられている。このリンク４は上下駆動機構５によって駆動される。それによって、ベッドフレーム３はベースフレーム１上で上下駆動されるようになっている。つまり、ベッドフレーム３は高さ調整可能となっている。
【００１３】
上記ベッドフレーム３には、長手方向一端にヘッドボード６、他端にフットボード７が設けられ、さらに上面には床板体８が設けられている。この床板体８は５つの床部９ａ〜９ｅに分割されていて、中央に位置する固定床部９ｃはベッドフレーム３に固定されている。
【００１４】
上記固定床部９ｃの一側には腰床部９ｂと背上げ床部９ａとが順次回動可能に連結され、他側には第１の脚床部９ｄと第２の脚床部９ｅとが順次回動可能に連結されている。そして、この床板体８上には屈曲可能なマットレス１１が載置されている。
【００１５】
上記ベッドフレーム３には、床板体８の下面側に背上げ駆動機構１２が設けられている。この背上げ駆動機構１２は図４と図５に示すようにケース１３を有する。このケース１３の一側には第１のモータ１４が設けられ、他側には第２のモータ１５が設けられている。各モータ１４，１５の回転軸１６（一方のみ図示）はケース１３内に突出し、その突出端にはウオーム１７が嵌着されている。
【００１６】
上記ケース１３内の長手方向中央部には第１の支持体１８が設けられ、この第１の支持体１８には一対のねじ軸１９（一方のみ図示）の一端部が回転自在に支持されている。このねじ軸１９の他端部は第２の支持体２１に回転自在に支持されている。
【００１７】
上記ねじ軸１９には、一端部に上記ウオーム１７に噛合するウオームホイール２２が嵌着され、さらに一端部にはナット体２３が螺合されている。このナット体２３は可動体２４の一端部に固着されている。したがって、上記各モータ１４，１５が作動してねじ軸１９が回転駆動されれば、その回転によってナット体２３がねじ軸１９の軸方向に沿って移動するから、その移動に可動体２４が連動する。
【００１８】
第１のモータ１４よって駆動される可動体２４の先端側には、上記ケース１３の一端部に回転自在に支持された第１の駆動軸２５が設けられている。この第１の駆動軸２５には、図１と図２に示すように断面形状がコ字状の取付け部材２６の一端部が固着されている。この取付け部材２６の他端には鉤状の係合部２６ａが形成されている。
【００１９】
上記取付け部材２６の他端部にはほぼＵ字状に形成された動力伝達部材２７の両側の一端部が第１の枢軸２８によって回動可能に連結されている。この動力伝達部材２７の中途部には一端部を上記係合部２６ａ側に位置させ他端部を上記動力伝達部材２７の閉塞端側（他端）に位置させた作動部材２９の中途部が第２の枢軸３１によって回動可能に連結されている。
【００２０】
上記作動部材２９と取付け部材２６との間にはばね３２が介装されている。このばね３２は、上記第１の枢軸２８に装着された第１のコイル部３２ａと、上記第２の枢軸３１に装着された第２のコイル部３２ｂとが連続して形成されている。第１のコイル部３２ａから延出された一端部３２ｃの先端は上記取付け部材２６の内面に係合され、第２のコイル部３２ｂから延出された他端部３２ｄは上記作動部材２９の他端部に係合している。
【００２１】
それによって、ばね３２は、上記作動部材２９を図１に矢印Ａで示す方向に付勢し、その一端部を上記取付け部材２６の係合部２６ａに係合させている。作動部材２９が取付け部材２６の係合部２６ａに係合すると、動力伝達部材２７が第１の枢軸２８を支点として矢印Ｂ方向へ回動するのが阻止される。
【００２２】
上記動力伝達部材２７の他端部は上記可動体２４の先端面に対向している。したがって、上記可動体２４が図８（ａ）に示す後退位置から図８（ｂ）に示す前進位置へ駆動されると、この可動部材２４の先端面が上記作動部材２７を押圧回動させるから、それに第１の駆動軸２５が連動して回動する。
【００２３】
図６に示すように、上記第１の駆動軸２５の両端部は上記ケース１３の両側面から外方に突出している。この第１の駆動軸２５の両端は上記ベッドフレーム３の両側に回転可能に支持されているとともに、支持端よりも内方の部分にはそれぞれ第１のアーム３５の基端部が固着されている。この第１のアーム３５は上記背上げ床部９ａの下面の幅方向両端部に位置し、先端部にはそれぞれ一対のローラ３６が回転自在に設けられている。各第１のアーム３５の一対のローラ３６は上記背上げ床部９ａの下面両側に設けられた断面コ字状のレール３７（図３に示す）に転動可能に係合している。
【００２４】
したがって、第１の駆動軸２５が回動すると、その回動に一対の第１のアーム３５が連動するから、これら第１のアーム３５によって背上げ床部９ａが図３に鎖線で示す倒伏状態から実線で示す起上状態へ回動させられる。なお、背上げ床部９ａが起上すれば、図３に示すように腰床部９ｂも連動して回動する。
【００２５】
上記作動部材２９の他端には操作部材を構成するワイヤ４１の一端が連結されている。このワイヤ４１の他端にはハンドル４２が連結されている。このハンドル４２は、合成樹脂によって図７に示すように上記ワイヤ４１の他端が連結される連結部４３ａ及び断面形状がほぼＣ字状の弾性係合部４３を有する形状に形成されている。この弾性係合部４３は図６に示すように第１の駆動軸２５に弾性的に着脱可能となっている。
【００２６】
背上げ床部９ａを起上させた状態で、上記ハンドル４２をもってワイヤ４１を引くと、作動部材２９をばね３２の付勢力に抗して図１に矢印Ａで示す方向と逆方向に回動させることができるから、作動部材２９の一端部を取付け部材２６の係合部２６ａから外すことができる。それによって、動力伝達部材２７に対し取付け部材２６が回動可能な状態になるから、起立状態にある背上げ床部９ａを倒伏方向へ回動させることができる。
【００２７】
つまり、上記取付け部材２６、動力伝達部材２７、作動部材２９及びばね３２によって起上状態にある背上げ床部９ａを手動で倒伏させることができる解除機構４４を構成している。
【００２８】
上記第２のモータ１５によって駆動される可動体２４の先端側には、上記ケース１３の他端部に回転自在に支持された第２の駆動軸４５が設けられている。この第２の駆動軸４５の中途部にはレバー４６の一端部が固着されている。このレバー４６の他端部は上記可動体２４の先端面に当接している。したがって、上記可動体２４が前進方向に駆動されれば、この可動体２４によってレバー４６の他端が押圧されるから、上記第２の駆動軸４５が回動させられることになる。
【００２９】
第２の駆動軸４５の両端部には第２のアーム４７の基端部が連結されている。この第２のアーム４７の先端部にはローラ４８が回転自在に設けられている。このローラ４７は第１の脚床部９ｄの下面に当接している。したがって、上記第２のアーム４７が回動すると、ローラ４８によって第１の脚床部９ｄが上昇方向に押し上げられ、それに第２の脚床部９ｅも連動する。つまり、第１の脚床部９ｄと第２の脚床部９ｅとはほぼへの字状に屈曲して背上げ床部９ａによって上半身が起こされた利用者Ｕの脚部を保持するから、利用者の臀部が前方へずれるのを阻止することになる。
【００３０】
このような構成の起床式ベッド装置によれば、図３に示すように背上げ床部９ａを起上させて利用者の上半身を起こした状態で、背上げ駆動機構１２が故障したり、停電などが発生した場合、利用者Ｕは上半身を起こした姿勢を維持しなければならなくなるから、苦痛を感じたり、病状に好ましくないなどのことがある。
【００３１】
そのような場合、上記背上げ床部９ａを解除機構４４によって手動で倒伏させることができる。図８（ａ）〜（ｄ）は解除機構４４の動作を説明しており、図８（ａ）は背上げ床部９ａが倒伏した状態の解除機構４４を示している。つまり、倒伏状態のときには、可動体２４が後退位置にあり、動力伝達部材２７は押圧されていないから、第１の駆動軸２５に連結された第１のアーム３５は倒伏状態にある。
【００３２】
図８（ｂ）は第１のモータ１４を作動させて可動体２４を前進させ、第１の駆動軸２５を回転させて第１のアーム３５を起上させた状態を示す。それによって、背上げ床部９ａは上記第１のアーム３５によって起上させられることになる。
【００３３】
背上げ床部９ａを起上させた状態で、停電などによって背上げ駆動機構１２を作動させることができなくなり、利用者Ｕが上半身を起こしたままとなり、利用者が苦痛を感じた場合などには、介助者などがハンドル４２を把持して図８（ｃ）に矢印で示す方向にワイヤ４１を引く。
【００３４】
それによって、作動部材２９がばね３２の付勢力に抗して回動するから、その一端部が取付け部材２６の係合部２６ａから外れる。したがって、取付け部材２６は動力伝達部材２７に対して回動可能な状態になる。つまり、動力伝達部材２７に対して回動不能に固定されていた取付け部材２６の固定状態が解除されることになる。
【００３５】
このようにして、取付け部材２６の固定状態を解除すれば、第１の駆動軸２５とともに背上げ床部９ａを倒伏方向へ回動させることが可能となるから、介助者は背上げ床部９ａに手を掛けて緩やかに倒伏させることができる。つまり、床板体８上で上半身を起こした状態のままの利用者は、背上げ床部９ａとともに上半身を倒して仰臥することができる。図８（ｄ）は手動で第１のアーム３５を倒伏させた状態の解除機構４４を示している。
【００３６】
上記一実施の形態では、解除機構４４を第１の駆動軸２５側に設けた場合について説明したが、第２の駆動軸側に設けるようにしてもよいこと勿論である。
【００３７】
【発明の効果】
この発明によれば、駆動軸と駆動機構との間に設けられた作動部材を操作部材によって操作することで、駆動機構に係りなく駆動軸を回転さることができるようにした。
【００３８】
そのため、起上状態にある床部を手動で倒伏させることが可能となるから、床部を起上させて利用者の上半身を起こした状態で駆動機構を作動させることができなくなっても、その床板を倒伏させて利用者の上半身を倒すことができる。
【図面の簡単な説明】
【図１】この発明の一実施の形態を示す解除機構の断面図。
【図２】図１のＩＩ−ＩＩ線に沿う側面図。
【図３】起床式ベッド装置の側面図。
【図４】背上げ駆動機構の側面図。
【図５】背上げ駆動機構の内部構造を示す断面図。
【図６】背上げ駆動機構の平面図。
【図７】ハンドルの斜視図。
【図８】解除機構の動作説明図。
【符号の説明】
３…ベッドフレーム
８…床板体
９ａ〜９ｅ…床部
１２…背上げ駆動機構
１４…第１のモータ（駆動源）
１９…ねじ軸
２４…可動体
２５…第１の駆動軸
２６…取付け部材
２７…動力伝達部材
４１…ワイヤ（操作部材）
４２…ハンドル
【図１】
0003642721.tif 000002
【図２】
0003642721.tif 000003
【図３】
0003642721.tif 000004
【図４】
0003642721.tif 000005
【図５】
0003642721.tif 000006
【図６】
0003642721.tif 000007
【図７】
0003642721.tif 000008
【図８】
0003642721.tif 000009